(57)【要約】【課題】この発明は、ファクシミリ通信によってファクシミリサーバに受信された画像データを、ファクシミリサーバにネットワークを介して接続されている画像出力機器のうち、所定の方法で選択された画像出力機器に送って印刷できるようになるファクシミリ通信システムを提供することを目的とする。【解決手段】各画像出力機器毎に、互いに異なるＦコードが仮想的に割り当てられており、ファクシミリサーバは、各画像出力機器とそれに仮想的に割り当てられているＦコードとが関連付けられて記憶されているテーブル、およびファクシミリ受信時において、受信したＦコードに対応する画像出力機器を上記テーブルに基づいて選択し、選択した画像出力機器に受信した画像データをネットワーク回線を介して送信する手段を備えており、各画像出力機器は、ファクシミリサーバから送られてきた画像データを印刷する手段を備えている。【選択図】  図１
2004297181.tif 000002
【特許請求の範囲】
【請求項１】
ネットワーク回線に接続された複数の画像出力機器と、上記ネットワーク回線に接続されておりかつ公衆回線に接続されたモデムを有するファクシミリサーバとを備えており、
上記各画像出力機器毎に、互いに異なるＦコードが仮想的に割り当てられており、
上記ファクシミリサーバは、上記各画像出力機器とそれに仮想的に割り当てられているＦコードとが関連付けられて記憶されているテーブル、およびファクシミリ受信時において、受信したＦコードに対応する画像出力機器を上記テーブルに基づいて選択し、選択した画像出力機器に受信した画像データをネットワーク回線を介して送信する手段を備えており、
上記各画像出力機器は、上記ファクシミリサーバから送られてきた画像データを印刷する手段を備えていることを特徴とするファクシミリ通信システム。
【請求項２】
ネットワーク回線に接続された複数の画像出力機器と、上記ネットワーク回線に接続されておりかつ公衆回線に接続されたモデムを有するファクシミリサーバとを備えており、
上記ファクシミリサーバには、ファクシミリ受信可能な電話番号として複数の異なる電話番号が与えられており、上記各画像出力機器毎に、上記ファクシミリサーバに与えられている電話番号であって、互いに異なる電話番号が仮想的に割り当てられており、
上記ファクシミリサーバは、上記各画像出力機器と、それに仮想的に割り当てられている電話番号とが関連付けられて記憶されているテーブル、およびファクシミリ受信時において、受信した電話番号に対応する画像出力機器を上記テーブルに基づいて選択し、選択した画像出力機器に受信した画像データをネットワーク回線を介して送信する手段を備えており、
上記各画像出力機器は、上記ファクシミリサーバから送られてきた画像データを印刷する手段を備えていることを特徴とするファクシミリ通信システム。
【請求項３】
ネットワーク回線に接続されかつ画像読み取り手段を有する複数の画像出力機器と、上記ネットワーク回線に接続されておりかつ公衆回線に接続されたモデムを有するファクシミリサーバとを備え、各画像出力機器で読み取られた画像データをファクシミリサーバを介してファクシミリ送信できる機能を備えたファクシミリ通信システムにおいて、
上記ファクシミリサーバは、画像出力機器から送られてきた画像をファクシミリ送信する度に、各画像出力機器別に送信先の電話番号を記憶することによって、各画像出力機器毎に送信先情報テーブルを作成する手段、ファクシミリ受信時において、受信した電話番号と同じ電話番号が上記各テーブル内に存在するか否かを判定する手段、および受信した電話番号と同じ電話番号がテーブル内に存在する場合には、当該テーブルに対応する画像出力機器に受信した画像データをネットワーク回線を介して送信する手段を備えており、
上記各画像出力機器は、上記ファクシミリサーバから送られてきた画像データを印刷する手段を備えていることを特徴とするファクシミリ通信システム。
【発明の詳細な説明】
【０００１】
【産業上の利用分野】
この発明は、ファクシミリ通信システムに関する。
【０００２】
【従来の技術】
画像読み取り手段を備えているがファクシミリ機能を備えていない画像出力機器、たとえば、デジタル複写機では、画像読み取り手段によって読み取られた画像を任意の相手先にファクシミリ送信することができない。
【０００３】
従来では、このような画像出力機器によって読み取られた画像を任意の相手先にファクシミリ送信できるようにするためには、このような画像出力機器にファクシミリ機能を設ける必要があった。
【０００４】
そこで、本出願人は、デジタル複写機が接続されているＬＡＮ等のネットワークにファクシミリサーバを接続し、デジタル複写機で読み込んだ画像をファクシミリサーバを介してファクシミリ送信するファクシミリ通信システムを既に開発している（特開２００２−０８７７９１号公報参照）。
【０００５】
つまり、上記デジタル複写機には、ファクシミリ送信モードをユーザに設定させるためのファクシミリ送信モード設定手段、ファクシミリ送信モードが設定されたときに、ファクシミリ送信先をユーザに設定させるためのファクシミリ送信設定手段、ならびにファクシミリ送信モードが設定されている場合において、ユーザ操作による画像読み取り指令が入力されたときに、画像の読み取りを開始し、読み取った画像データをファクシミリサーバに送信するとともに、ファクシミリ送信設定手段によって設定されたファクシミリ送信設定データをファクシミリサーバに送信する送信手段を設ける。
【０００６】
また、上記ファクシミリサーバには、受信した画像データとファクシミリ送信設定データとを記憶装置に記憶させる手段、ならびにファクシミリ送信設定データと全ての画像データとの受信が完了したときに、記憶装置に記憶したファクシミリ送信設定データによって指定されているファクシミリ送信先に対して、記憶装置に記憶した画像データを送信する送信手段を設ける。
【０００７】
上記ファクシミリ通信システムでは、ファクシミリサーバにＬＡＮを介して接続されている画像出力機器からファクシミリサーバを介してファクシミリ送信を行うことはできるが、ファクシミリ受信をファクシミリサーバによって行って、ファクシミリサーバから受信データを画像出力機器に振り分けて送信するとったことはできなかった。
【０００８】
【特許文献】特開２００２−０８７７９１号公報
【０００９】
【発明が解決しようとする課題】
この発明は、ファクシミリ通信によってファクシミリサーバに受信された画像データを、ファクシミリサーバにネットワークを介して接続されている画像出力機器のうち、所定の方法で選択された画像出力機器に送って印刷できるようになるファクシミリ通信システムを提供することを目的とする。
【００１０】
【課題を解決するための手段】
この発明による第１のファクシミリ通信システムは、ネットワーク回線に接続された複数の画像出力機器と、上記ネットワーク回線に接続されておりかつ公衆回線に接続されたモデムを有するファクシミリサーバとを備えており、上記各画像出力機器毎に、互いに異なるＦコードが仮想的に割り当てられており、上記ファクシミリサーバは、上記各画像出力機器とそれに仮想的に割り当てられているＦコードとが関連付けられて記憶されているテーブル、およびファクシミリ受信時において、受信したＦコードに対応する画像出力機器を上記テーブルに基づいて選択し、選択した画像出力機器に受信した画像データをネットワーク回線を介して送信する手段を備えており、上記各画像出力機器は、上記ファクシミリサーバから送られてきた画像データを印刷する手段を備えていることを特徴とする。
【００１１】
この発明による第２のファクシミリ通信システムは、ネットワーク回線に接続された複数の画像出力機器と、上記ネットワーク回線に接続されておりかつ公衆回線に接続されたモデムを有するファクシミリサーバとを備えており、上記ファクシミリサーバには、ファクシミリ受信可能な電話番号として複数の異なる電話番号が与えられており、上記各画像出力機器毎に、上記ファクシミリサーバに与えられている電話番号であって、互いに異なる電話番号が仮想的に割り当てられており、上記ファクシミリサーバは、上記各画像出力機器と、それに仮想的に割り当てられている電話番号とが関連付けられて記憶されているテーブル、およびファクシミリ受信時において、受信した電話番号に対応する画像出力機器を上記テーブルに基づいて選択し、選択した画像出力機器に受信した画像データをネットワーク回線を介して送信する手段を備えており、上記各画像出力機器は、上記ファクシミリサーバから送られてきた画像データを印刷する手段を備えていることを特徴とする。
【００１２】
この発明による第３のファクシミリ通信システムは、ネットワーク回線に接続されかつ画像読み取り手段を有する複数の画像出力機器と、上記ネットワーク回線に接続されておりかつ公衆回線に接続されたモデムを有するファクシミリサーバとを備え、各画像出力機器で読み取られた画像データをファクシミリサーバを介してファクシミリ送信できる機能を備えたファクシミリ通信システムにおいて、上記ファクシミリサーバは、画像出力機器から送られてきた画像をファクシミリ送信する度に、各画像出力機器別に送信先の電話番号を記憶することによって、各画像出力機器毎に送信先情報テーブルを作成する手段、ファクシミリ受信時において、受信した電話番号と同じ電話番号が上記各テーブル内に存在するか否かを判定する手段、および受信した電話番号と同じ電話番号がテーブル内に存在する場合には、当該テーブルに対応する画像出力機器に受信した画像データをネットワーク回線を介して送信する手段を備えており、上記各画像出力機器は、上記ファクシミリサーバから送られてきた画像データを印刷する手段を備えていることを特徴とする。
【００１３】
【発明の実施の形態】
以下、この発明の実施の形態について説明する。
【００１４】
〔１〕ファクシミリ通信システムの構成の説明
図１は、ファクシミリ通信システムの構成を示している。
【００１５】
この例では、画像出力機器として、２台のデジタル複写機１、２および１台のプリンタ３が構内ＬＡＮ（ネットワーク回線）１１に接続されている。構内ＬＡＮ１１には、さらに、ファクシミリサーバ４が接続されている。ファクシミリサーバ４は、公衆回線１２に接続されている。
【００１６】
デジタル複写機１、２は、特開２００２−０８７７９１号公報に開示されているように、通常のデジタル複写機としての機能の他、ファクシミリ送信モード時においてデジタル複写機１、２によって読み込まれた画像と、ファクシミリ送信先を含むファクシミリ送信設定データとを、ネットワークアドレスを用いてファクシミリサーバ４に送信する機能を備えている。また、デジタル複写機１、２は、ファクシミリサーバ４からＰＣ送信によって送られてきた画像を、印刷する機能を備えている。プリンタ３は、ファクシミリサーバ４からＰＣ送信によって送られてきた画像を、印刷する機能を備えている。
【００１７】
ファクシミリサーバ４は、特開２００２−０８７７９１号公報に開示されているように、デジタル複写機１から送られてきた画像を、デジタル複写機１から送られてきたファクシミリ送信設定データによって指定されているファクシミリ送信先に、ファクシミリ送信する機能を備えている。
【００１８】
また、ファクシミリサーバ４は、公衆回線１２を介してファクミリ送信されてきた画像（ファクミリ文書）を受信して、デジタル複写機１、デジタル複写機２またはプリンタ３にＰＣ送信する機能を送信する機能を備えている。
【００１９】
図２は、デジタル複写機１、２の構成を示している。
【００２０】
デジタル複写機は、制御部１０１を備えている。制御部１０１は、そのプログラム等を記憶するＲＯＭ１０２、必要なデータを記憶するＲＡＭ１０３、ファクシミリサーバ記憶部１０４およびファクシミリ送信設定データ記憶部１０５を備えている。
【００２１】
デジタル複写機１は、さらに、操作表示部１０６、スキャナ装置１０７、画像処理部１０８、メモリ制御手段１０９、ビットマップメモリ１１０、プリンタ部１１１、ＣＯＤＥＣ１１２、画像メモリ１１３、通信制御手段１１４、ネットワークインターフェース１１５等を備えている。ネットワークインターフェース１１５は構内ＬＡＮ１１に接続されている。
【００２２】
操作表示部１０６には、ファクシミリ送信モードをユーザに設定させるためのファクシミリ送信指示キーが設けられている。
【００２３】
図３は、ファクシミリサーバ４の構成を示している。
【００２４】
ファクシミリサーバ４は、ＣＰＵ３０１、ＲＯＭ３０２、ＲＡＭ３０３、ハードディスク３０４、ネットワークインターフェース３０５、モデム３０６等を備えている。モデム３０６は公衆回線１２に接続されている。
【００２５】
〔２〕ファクシミリ送信処理の説明
〔２−１〕予備設定の説明
【００２６】
デジタル複写機１、２のファクシミリサーバ記憶部１０４には、ファクシミリサーバ４のネットワークアドレスが登録されている。
【００２７】
ファクシミリサーバ４のハードディスク３０４には、デジタル複写機１、２から送られてくる画像データを格納するための第１の画像データフォルダ３０４２およびデジタル複写機１、２から送られてくるファクシミリ送信設定データを格納するための第１のファクシミリ送信設定データ記憶部３０４１が設けられている。
【００２８】
さらに、ファクシミリサーバ４のハードディスク３０４には、デジタル複写機１から送られてきた画像データを受信して第１の画像データフォルダ３０４２に格納させたり、デジタル複写機１から送られてきたファクシミリ送信設定データを第１のファクシミリ送信設定データ記憶部３０４１に格納させたりするとともに、デジタル複写機１、２から受信した画像データをデジタル複写機１、２から受信したファクシミリ送信設定データによって指定されたファクシミリ送信先にファクシミリ送信するためのファクシミリ送信処理プログラム３０４３が格納されている。
【００２９】
〔２−２〕ファクシミリ送信処理手順の説明
図４は、ファクシミリ送信を行なう際のユーザの操作およびデジタル複写機の動作を示している。
【００３０】
ユーザは、まず、操作表示部１０６を用いてファクシミリ送信指示キーを操作する（ステップ１）。また、ユーザは、操作表示部１０６を用いて、ファクシミリ送信設定を行なう（ステップ２）。つまり、ユーザは、操作表示部１０６を用いて、ファクシミリ送信先の電話番号等を入力する。デジタル複写機は、ユーザによって入力されたファクシミリ送信先の電話番号等のデータを、ファクシミリ送信設定としてファクシミリ送信設定データ記憶部１０５に記憶する（ステップ３）。
【００３１】
次に、ユーザはスキャナ装置１０７に原稿をセットし、スタートキーを押す（ステップ４）。デジタル複写機は、原稿画像の読み取りを開始するとともに、読み取った画像データおよびファクシミリ送信設定データ記憶部１０５に記憶したファクシミリ送信設定データを、ファクシミリサーバ４に送信する（ステップ５）。
【００３２】
この際、スキャナ装置１０７で読み取られた画像データは、画像処理部１０８、メモリ制御手段１０９、ＣＯＤＥＣ１１２、通信制御手段１１４およびネットワークインターフェース１１５を介して、ファクシミリサーバ４に送信される。
【００３３】
図５は、ファクシミリサーバ４のファクシミリ送信処理手順を示している。この処理は、ファクシミリ送信処理プログラム３０４３によって実行される。
【００３４】
構内ＬＡＮ１１を介して、デジタル複写機１から画像データおよびファクシミリ送信設定データが送られてくると（ステップ１１）、ファクシミリサーバ４は、受信した画像データを第１の画像データフォルダ３０４２に格納するとともに、受信したファクシミリ送信設定データを第１のファクシミリ送信設定データ記憶部３０４１に格納する（ステップ１２）。
【００３５】
そして、ファクシミリ送信設定データおよび全ての画像データの受信が終了すると（ステップ１３）、ファクシミリサーバ４は、第１のファクシミリ送信設定データ記憶部３０４１に記憶したファクシミリ送信設定データによって指定されているファクシミリ送信先に対して、第１の画像データフォルダ３０４２内の画像データをファクシミリ送信する（ステップ１４）。
【００３６】
したがって、構内ＬＡＮ１１に接続された各デジタル複写機（画像読み取り手段を備えた画像出力機器）によって読み取られた画像を、ファクシミリサーバ４を介してファクシミリ送信できるようになる。
【００３７】
〔３〕ファクシミリ受信処理の説明
〔３−１〕予備設定の説明
デジタル複写機１、デジタル複写機２およびプリンタ３には、ＩＴＵ−Ｔ国際標準規格で規定されているＦコードが、例えば、次のように仮想的に割り当てられているものとする。
【００３８】
デジタル複写機１：Ｆコード＝０００１
デジタル複写機２：Ｆコード＝０００２
プリンタ３：Ｆコード＝０００３
【００３９】
ファクシミリサーバ４のハードディスク３０４には、デジタル複写機１、デジタル複写機２およびプリンタ３毎に、それに割り当てられているネットワークアドレスおよびＦコードが関連付けられて記憶されているＦコード／アドレステーブル３０４４が格納されている。
【００４０】
ファクシミリサーバ４のハードディスク３０４には、公衆回線１２を介してファクシミリサーバ４にファクシミリ送信されてくる画像データを格納するための第２の画像データフォルダ３０４６および公衆回線１２を介してファクシミリサーバ４にファクシミリ送信されてくる送信先電話番号、Ｆコード等のファクシミリ送信設定データを格納するための第２のファクシミリ送信設定データ記憶部３０４５が設けられている。
【００４１】
さらに、ファクシミリサーバ４のハードディスク３０４には、公衆回線１２を介してファクシミリサーバ４にファクシミリ送信されてきた画像データを受信して第２の画像データフォルダ３０４６に格納させたり、公衆回線１２を介してファクシミリサーバ４にファクシミリ送信されてきたファクシミリ送信設定データをファクシミリ送信設定データ記憶部３０４５に格納させたりするとともに、受信した画像データを受信したファクシミリ送信設定データ中のＦコードに対応する画像出力機器１、２、３にＰＣ送信するためのファクシミリ受信処理プログラム３０４７が格納されている。
【００４２】
〔３−２〕ファクシミリ受信処理手順の説明
図６は、ファクシミリサーバ４のファクシミリ受信処理手順を示している。この処理は、ファクシミリ受信処理プログラム３０４７によって実行される。
【００４３】
公衆回線１２に接続されているあるファクシミリ装置のユーザには、画像出力機器１、２、３とＦコードとの対応付けが予め通知されているかあるいはそのユーザからのファクシミリ送信によってファクシミリサーバ４に送られてくる画像を印刷すべき画像出力機器に対応づけられたＦコードが予め通知されている。
【００４４】
このユーザがファクシミリ装置から、ファクシミリサーバ４にファクシミリ送信を行う場合には、送信先電話番号として、ファクシミリサーバ４の電話番号を指定する。この際、ユーザは、ファクシミリサーバ４に構内ＬＡＮ１１を介して接続されている画像出力機器１、２、３のうち印刷を行わせたい画像出力機器に割り当てられているＦコードも指定する。
【００４５】
公衆回線１２を介して、図示しないファクシミリ装置から、ファクシミリサーバ４に画像データおよびファクシミリ送信設定データを含むデータがファクシミリ送信されてくると（ステップ２１）、ファクシミリサーバ４は、受信した画像データを第２の画像データフォルダ３０４６に格納するとともに、受信したファクシミリ送信設定データを第２のファクシミリ送信設定データ記憶部３０４５に格納する（ステップ２２）。
【００４６】
そして、ファクシミリ送信設定データおよび全ての画像データの受信が終了すると（ステップ２３）、ファクシミリサーバ４は、Ｆコード／アドレステーブル３０４４から、ファクシミリ送信設定データ記憶部３０４５に記憶したＦコードに対応するネットワークアドレスを抽出し、抽出したネットワークアドレスを用いて、当該Ｆコードが割り当てられている画像出力機器１、２、３に対して、第２の画像データフォルダ３０４６内の画像データをＰＣ送信する（ステップ２４）。
【００４７】
ファクシミリサーバ４から画像データを受信した画像出力機器１、２、３は、受信した画像データを印刷出力する。
【００４８】
したがって、ファクシミリ送信によってファクシミリサーバ４に送られてきた画像データを、Ｆコードに対応する画像出力機器１、２、３に出力させることができるようになる。
【００４９】
〔４〕ファクシミリ受信処理の変形例の説明
図７は、ファクシミリサーバ４による他のファクシミリ受信処理手順を示している。
【００５０】
ファクシミリサーバ４には、ファクシミリ受信可能な電話番号として複数の異なる電話番号（この例では３つの異なる電話番号ＴＮ１、ＴＮ２、ＴＮ３）が与えられている。そして、各画像出力機器１、２、３毎に、上記ファクシミリサーバ４に与えられている電話番号であって、互いに異なる電話番号が仮想的に割り当てられている。
【００５１】
ファクシミリサーバ４のハードディスク３０４には、画像出力機器１、２、３毎に、それに割り当てられているネットワークアドレスおよび電話番号が関連付けられて記憶されている電話番号／アドレステーブルが格納されている。
【００５２】
公衆回線１２に接続されているあるファクシミリ装置のユーザには、画像出力機器１、２、３と電話番号ＴＮ１、ＴＮ２、ＴＮ３との対応付けが予め通知されているかあるいはそのユーザからのファクシミリ送信によって送られてくる画像を印刷すべき画像出力機器に対応づけられた電話番号が予め通知されている。
【００５３】
このユーザがファクシミリ装置から、ファクシミリサーバ４にファクシミリ送信を行う場合には、送信先電話番号として、ファクシミリサーバ４に割り当てられている電話番号を指定する。この際、ファクシミリ装置のユーザは、ファクシミリサーバ４に構内ＬＡＮ１１を介して接続されている画像出力機器１、２、３のうち印刷を行わせたい画像出力機器に対応付けられている電話番号を指定する。
【００５４】
公衆回線１２を介して、図示しないファクシミリ装置から、ファクシミリサーバ４に画像データおよびファクシミリ送信設定データを含むデータがファクシミリ送信されてくると（ステップ３１）、ファクシミリサーバ４は、受信した画像データを第２の画像データフォルダ３０４６に格納するとともに、受信したファクシミリ送信設定データを第２のファクシミリ送信設定データ記憶部３０４５に格納する（ステップ３２）。
【００５５】
そして、ファクシミリ送信設定データおよび全ての画像データの受信が終了すると（ステップ３３）、ファクシミリサーバ４は、電話番号／アドレス対応付けテーブルから、ファクシミリ送信設定データ記憶部３０４５に記憶した電話番号に対応するネットワークアドレスを抽出し、抽出したネットワークアドレスを用いて、当該電話番号が割り当られている画像出力機器１、２、３に対して、第２の画像データフォルダ３０４６内の画像データをＰＣ送信する（ステップ３４）。
【００５６】
ファクシミリサーバ４から画像データを受信した画像出力機器１、２、３は、受信した画像データを印刷出力する。
【００５７】
したがって、ファクシミリ送信によってファクシミリサーバ４に送られてきた画像データを、上記ファクシミリサーバ４に与えられている電話番号に対応する画像出力機器１、２、３に出力させることができるようになる。
【００５８】
〔５〕ファクシミリ受信処理のさらに他の変形例の説明
ファクシミリサーバ４は、デジタル複写機１、２から送られてきた画像をファクシミリ送信する度に、デジタル複写機１、２別に送信先の電話番号を記憶することによって、各デジタル複写機１、２毎に送信先情報テーブルを作成する。
【００５９】
そして、ファクシミリサーバ４がファクシミリ受信を行ったときには、デジタル複写機１、２毎の送信先情報テーブル内に、当該ファクシミリ受信の送信元の電話番号と同じ電話番号が存在するか否かを判定する。そして、一致するものがある場合には、当該電話番号を送信先情報に含んでいる送信先情報テーブルに対応するデジタル複写機に、受信した画像データをＰＣ送信する。なお、一致するものがない場合には、例えば、プリンタ３に受信した画像データをＰＣ送信する。
【００６０】
したがって、ファクシミリ送信によってファクシミリサーバ４に送られてきた画像データを、各デジタル複写機１、２毎の送信先情報に基づいて選択された画像出力機器に出力させることができるようになる。
【００６１】
【発明の効果】
この発明によれば、ファクシミリ通信によってファクシミリサーバに受信された画像データを、ファクシミリサーバにネットワークを介して接続されている画像出力機器のうち、所定の方法で選択された画像出力機器に送って印刷できるようになる。
【図面の簡単な説明】
【図１】ファクシミリ通信システムの構成を示すブロック図である。
【図２】デジタル複写機１、２の構成を示すブロック図である。
【図３】ファクシミリサーバ４の構成を示すブロック図である。
【図４】ファクシミリ送信を行なう際のユーザの操作およびデジタル複写機１の動作を示すフローチャートである。
【図５】ファクシミリサーバ４によるファクシミリ送信処理手順を示すフローチャートである。
【図６】ファクシミリサーバ４によるファクシミリ受信処理手順を示すフローチャートである。
【図７】ファクシミリサーバ４による他のファクシミリ受信処理手順を示すフローチャートである。
【符号の説明】
１、２  デジタル複写機
３  プリンタ
４  ファクシミリサーバ
１１  構内ＬＡＮ
１２  公衆回線
【図１】
2004297181.tif 000003
【図２】
2004297181.tif 000004
【図３】
2004297181.tif 000005
【図４】
2004297181.tif 000006
【図５】
2004297181.tif 000007
【図６】
2004297181.tif 000008
【図７】
2004297181.tif 000009